(57)【特許請求の範囲】
【請求項１】
眼科装置本体を左右の被検眼に対峙する位置に移動させて左右の被検眼を個別に観察する眼科装置を上面上に搭載する眼科装置用光学台において、
前記上面に組み込んだ前記眼科装置本体の左右の被検眼方向への移動を検出する左右検出センサと、
前記眼科装置用光学台内を経て前記左右検出センサの検出信号を外部に導出可能な光学台出力端子と、
を有することを特徴とする眼科装置用光学台。
【請求項２】
眼科装置本体を左右の被検眼に対峙する位置に移動させて左右の被検眼を個別に観察する眼科装置を上面上に搭載する眼科装置用光学台において、
前記上面に組み込んだ前記眼科装置本体の左右の被検眼方向への移動を検出する左右検出センサと、
前記上面に組み込んだ前記眼科装置本体に備えた眼科情報出力端子と接続可能な眼科情報取り込み端子と、
前記眼科装置用光学台内を経て前記左右検出センサの検出信号及び眼科情報取り込み端子により取り込む眼科情報を外部に導出可能な光学台出力端子と、
を有することを特徴とする眼科装置用光学台。
【請求項３】
眼科装置本体を左右の被検眼に対峙する位置に移動させて左右の被検眼を個別に観察する眼科装置を上面上に搭載する眼科装置用光学台において、
前記上面に組み込んだ前記眼科装置本体の左右の被検眼方向への移動を検出する左右検出センサと、
前記上面に組み込んだ前記眼科装置本体に備えた眼科情報出力端子と接続可能な眼科情報取り込み端子と、
左右検出センサの検出信号及び眼科情報取り込み端子により取り込む眼科情報をネットワーク情報に処理する信号処理手段と、
この信号処理手段からネットワーク情報を外部に導出可能な光学台出力端子と、
を有することを特徴とする眼科装置用光学台。
【請求項４】
前記左右検出センサは、赤外線センサ、光反射型センサ、ラインセンサから選定されることを特徴とする請求項１乃至３のいずれかに記載の眼科装置用光学台。
【請求項５】
前記左右検出センサは、眼科装置用光学台の上面上に搭載する前記眼科装置本体の寸法に応じて設置位置を変更可能であることを特徴とする請求項１乃至４のいずれかに記載の眼科装置用光学台。
【請求項６】
前記眼科情報取り込み端子は、前記眼科装置本体の側方又は眼科装置本体の直下に配置されることを特徴とする請求項１乃至５のいずれかに記載の眼科装置用光学台。
【発明の詳細な説明】
【０００１】
【発明の属する技術分野】
本発明は、眼科装置用光学台に関し、詳しくは、スリットランプやレフラクトメータ等の眼科装置を搭載する眼科装置用光学台の改良に関する。
【０００２】
【従来の技術】
通常、スリットランプやレフラクトメータ等の眼科装置は、上面が平坦な眼科装置用光学台上に眼科装置本体を搭載し、術者が眼科装置本体を左右の被検眼に対峙する位置に移動させて、左右の被検眼の観察や眼屈折力の測定等を個別的に行うようにしている。
【０００３】
このような眼科装置用光学台は、専ら眼科装置本体を搭載することを主目的として構成されており、眼科装置本体との電気的接続や、外部のコンピュータ装置等に対するデータ転送機能等は具備していないのが現状であり、眼科装置本体と外部のコンピュータ装置との接続は露出ケーブルにより行われるのが通常である。
【０００４】
【発明が解決しようとする課題】
スリットランプやレフラクトメータ等の眼科装置においては、観察される被検眼像が左右いずれであるかを検出し、認識することが極めて重要であるが、例えば、スリットランプの場合には左右の被検眼に対応して左右に移動させる移動架台の位置を検出することは行われておらず、このため、スリットランプにより観察され、撮像されるスリット像を露出ケーブルにより外部のコンピュータ装置に送り画像表示した場合に、術者が左右いずれのスリット像であるか判明できないという事態が生じる。このような事態は、スリットランプと光凝固装置と組み合わせて被検眼の光凝固手術を行う場合に大きな障害となる。
【０００５】
また、近年、大型の眼鏡店等においては、眼科装置のネットワーク化が進み、スリットランプやレフラクトメータ、さらには自覚式検眼装置、レンズメータ等各種の眼科装置をＬＡＮ（ローカルエリネットワーク）等のネットワークシステムで相互に接続し、被検者に対する総合的な眼科管理を行うようにしているが、従来の眼科装置用光学台の場合には、かかるネットワークシステムを構築する場合に対応できないという問題もある。
【０００６】
本発明は、上記事情に鑑みてなされたものであり、スリットランプやレフラクトメータ等の眼科装置を搭載した場合に、被検眼の左右眼情報を速やかに検出して出力でき、また、ネットワークシステムの構築に対する対策も万全な眼科装置用光学台を提供するものである。
【０００７】
【課題を解決するための手段】
請求項１記載の発明は、眼科装置本体を左右の被検眼に対峙する位置に移動させて左右の被検眼を個別に観察する眼科装置を上面上に搭載する眼科装置用光学台において、前記上面に組み込んだ前記眼科装置本体の左右の被検眼方向への移動を検出する左右検出センサと、前記眼科装置用光学台内を経て前記左右検出センサの検出信号を外部に導出可能な光学台出力端子とを有することを特徴とするものである。
【０００８】
この発明によれば、眼科装置用光学台の上面に組み込んだ前記左右検出センサにより眼科装置本体の左右の被検眼方向への移動を検出し、前記左右検出センサの検出信号を前記眼科装置用光学台内を経て光学台出力端子により外部に導出可能としているので、スリットランプやレフラクトメータ等の眼科装置を搭載した場合に、被検眼の左右眼情報を速やかに検出して出力でき、被検眼の左右眼情報に関するネットワークシステムの構築に対する対策も万全となる。
【０００９】
請求項２記載の発明は、眼科装置本体を左右の被検眼に対峙する位置に移動させて左右の被検眼を個別に観察する眼科装置を上面上に搭載する眼科装置用光学台において、前記上面に組み込んだ前記眼科装置本体の左右の被検眼方向への移動を検出する左右検出センサと、前記上面に組み込んだ前記眼科装置本体に備えた眼科情報出力端子と接続可能な眼科情報取り込み端子と、前記眼科装置用光学台内を経て前記左右検出センサの検出信号及び眼科情報取り込み端子により取り込む眼科情報を外部に導出可能な光学台出力端子とを有することを特徴とするものである。
【００１０】
この発明によれば、眼科装置用光学台の上面に組み込んだ前記左右検出センサにより眼科装置本体の左右の被検眼方向への移動を検出し、また、眼科情報取り込み端子を眼科装置本体に備えた眼科情報出力端子と接続することにより、前記左右検出センサの検出信号及び眼科情報を前記眼科装置用光学台内を経て光学台出力端子により外部に導出可能としているので、スリットランプやレフラクトメータ等の眼科装置を搭載した場合に、被検眼の左右眼情報及び被検眼データ等の眼科情報を速やかに検出、取得して出力でき、被検眼の左右眼情報、被検眼データ等の眼科情報に関するネットワークシステムの構築に対する対策も万全となる。
【００１１】
請求項３記載の発明は、眼科装置本体を左右の被検眼に対峙する位置に移動させて左右の被検眼を個別に観察する眼科装置を上面上に搭載する眼科装置用光学台において、前記上面に組み込んだ前記眼科装置本体の左右の被検眼方向への移動を検出する左右検出センサと、前記上面に組み込んだ前記眼科装置本体に備えた眼科情報出力端子と接続可能な眼科情報取り込み端子と、左右検出センサの検出信号及び眼科情報取り込み端子により取り込む眼科情報をネットワーク情報に処理する信号処理手段と、この信号処理手段からのネットワーク情報を外部に導出可能な光学台出力端子とを有することを特徴とするものである。
【００１２】
この発明によれば、眼科装置用光学台の上面に組み込んだ前記左右検出センサにより眼科装置本体の左右の被検眼方向への移動を検出し、また、眼科情報取り込み端子を眼科装置本体に備えた眼科情報出力端子と接続することにより、前記左右検出センサの検出信号及び眼科情報を信号処理手段に送って、ネットワーク情報として処理し、光学台出力端子により信号処理手段からのネットワーク情報を外部に導出可能としているので、スリットランプやレフラクトメータ等の眼科装置を搭載し、被検眼の左右眼情報及び被検眼データ等の眼科情報を速やかに検出、取得して出力でき、被検眼の左右眼情報、被検眼データ等の眼科情報に関するネットワークシステムの端末機器として機能させることができる。
【００１３】
請求項４記載の発明は、請求項１乃至３のいずれかに記載の眼科装置用光学台において、前記左右検出センサは、赤外線センサ、光反射型センサ、ラインセンサから選定されることを特徴とするものである。
【００１４】
この発明によれば、前記左右検出センサを、赤外線センサ、光反射型センサ、ラインセンサのいずれかにより構成して請求項１乃至３記載のいずれかの発明の作用を発揮させることができる。
【００１５】
請求項５記載の発明は、請求項１乃至４のいずれかに記載の眼科装置用光学台において、前記左右検出センサは、眼科装置用光学台の上面上に搭載する前記眼科装置本体の寸法に応じて設置位置を変更可能であることを特徴とするものである。
【００１６】
この発明によれば、前記左右検出センサを、眼科装置用光学台の上面上に搭載する前記眼科装置本体の寸法に応じて設置位置を変更可能としているので、前記眼科装置本体の寸法の大小に応じて左右検出センサの位置を適宜調整でき、汎用性を高めることができる。
【００１７】
請求項６記載の発明は、請求項１乃至５のいずれかに記載の眼科装置用光学台において、前記眼科情報取り込み端子は、前記眼科装置本体の側方又は眼科装置本体の直下に配置されることを特徴とするものである。
【００１８】
この発明によれば、前記眼科情報取り込み端子を、前記眼科装置本体の側方又は眼科装置本体の直下に配置する構成としているので、例えば移動架台と眼科装置用光学台の上面との間隔が少ないスリットランプのような眼科装置の場合には、眼科情報取り込み端子を前記眼科装置本体の側方に設置し、移動架台と眼科装置用光学台の上面との間隔が比較的大きいレフラクトランプのような眼科装置の場合には眼科情報取り込み端子を前記眼科装置本体の直下に設置するというような仕様の変更により機種の相違に幅広く対応できる。
【００１９】
【発明の実施の形態】
以下に、本発明の実施の形態を詳細に説明する。
【００２０】
（実施の形態１）
図１に示す本実施の形態１の眼科装置の一種であるスリットランプ１は、眼科装置用光学台（以下「光学台」という）２の上面上に、操作ノブ３ａの操作に基づき移動機構部３を介して図１に示すＹ方向（紙面と垂直な方向）に移動可能に支持された移動架台４と、傾倒操作により移動架台４をＹ方向に移動させる操作ハンドル５と、前記移動架台４により各々支持された観察系６、光源や鏡筒本体に対峙して配置する細隙（視野絞り）を有する照明系８と、観察系６の対物レンズを収納した鏡筒本体９に対峙させた被検者用の顎受部１０ａ、額当て１０ｂを有する顎受け台１０と、照明系８からの光を被検眼Ｅに導くミラー１２と、例えばＣＣＤ素子を使用した撮像カメラ１３とを具備している。移動架台４、観察系６、照明系８により眼科装置本体を構成している。
【００２１】
前記鏡筒本体９の側面には、観察倍率変倍用の回転軸を突設し、この回転軸に対して外周に観察系６の観察倍率を示す６，１０，１６，２５，４０等の数字を付した操作ノブ１１を装着するようになっている。
【００２２】
次に、前記光学台２について、図２乃至図５を参照して説明する。
【００２３】
前記光学台２は、キャスタ１５付きの下台１６と、この下台１６から立設した中空の支柱１８と、この支柱１８の上端に上面が平坦となるように配置した光学台本体２Ａとを有し、この光学台本体２Ａ上に前記スリットランプ１を搭載している。
【００２４】
前記光学台本体２Ａの上面には、図２、図３、図４に示すように、前記眼科装置本体の左右の被検眼ＥL 、ＥR の方向への移動を検出する左右検出センサ２０を組み込んでいる。
【００２５】
即ち、前記移動架台４は、光学台本体２Ａの上面に取り付けられる一対の支持部材１６ａ、１６ｂ間に架設されたスライド用シャフト１７に嵌め付けられ、図２に示すＹ方向に移動可能に構成され、この移動架台４を移動させることで、前記ミラー１２及び観察系６の対物レンズを被検眼ＥL 、ＥR に各々対峙させるようになっている。
【００２６】
前記左右検出センサ２０は、図２、図３に示すように、前記光学台本体２Ａ上に、前記移動架台４のＹ方向に関する基準位置（図２に示す位置）の両側を占める配置でかつＹ方向に関して位置変更可能に組み込まれている。
【００２７】
さらに詳述すると、前記左右検出センサ２０は、一対のセンサ（例えば赤外線センサ）２１ａ、２１ｂを具備し、図４に示すように、前記移動架台４のＹ方向に関する基準位置の両側に直線状配列で設けた例えば３個ずつの穴部２２ａ、２３ａ、２４ａ、穴部２２ｂ、２３ｂ、２４ｂのうち各々いずれか一個の穴部に対して、一対のセンサ２１ａ、２１ｂをＹ方向に関して対称となるように各々着脱可能に組み込んでいる。
【００２８】
穴部２２ａと穴部２３ａ、穴部２３ａと穴部２４ａとの間には、各々抜溝２５が形成され、これによりセンサ２１ａの接続線２６が抜溝２５を経て穴部２２ａ、２３ａ、２４ａ間を往来可能となっている。
【００２９】
同様に、穴部２２ｂと穴部２３ｂ、穴部２３ｂと穴部２４ｂとの間には、各々抜溝２５が形成され、これによりセンサ２１ｂの接続線２６が抜溝２５を経て穴部２２ｂ、２３ｂ、２４ｂ間を往来可能となっている。
【００３０】
穴部２２ａ、穴部２２ｂの近傍には「小」の文字が、穴部２３ａ、穴部２３ｂの近傍には「中」の文字が、穴部２４ａ、穴部２４ｂの近傍には「大」の文字が各々付されている。そして、前記移動架台４のＹ方向の寸法の大小に応じて一対のセンサ２１ａ、２１ｂの３個ずつの穴部２２ａ、２３ａ、２４ａ、穴部２２ｂ、２３ｂ、２４ｂに対する嵌め込み位置を変更可能としている。
【００３１】
前記一対のセンサ２１ａ、２１ｂの接続線２６は、中空の支柱１８内を経て、この支柱１８の壁面に設けた第１の光学台出力端子２８に接続されている。
【００３２】
また、前記光学台本体２Ａの上面には、眼科情報取り込み端子（ＲＳ２３２Ｃ型）であるメス型コネクタ３１が設けられ、前記眼科装置本体の例えば撮像カメラ１３に接続されている眼科情報出力端子（ＲＳ２３２Ｃ型）であるオス型コネクタ３２が接続されるようになっている。
【００３３】
前記メス型コネクタ３１の接続線３４は、中空の支柱１８内を経て、この支柱１８の壁面に設けた第２の光学台出力端子（ＲＳ２３２Ｃ型）３５に接続されている。
【００３４】
次に、前記光学台２の作用を図６、図７を参照して説明する。
【００３５】
前記移動架台４を、図６に示すように左方向に移動させ、前記ミラー１２及び観察系６の対物レンズを被検眼ＥR （右眼）に対峙させると、前記移動架台４は一対のセンサ２１ａ、２１ｂのうちの左側のセンサ２１ａの上方を遮蔽する。
【００３６】
これにより、左側のセンサ２１ａにより被検眼ＥR を観察していることを示す右眼情報が出力され、前記接続線２６を経て第１の光学台出力端子２８に伝送される。
【００３７】
一方、前記移動架台４を、図６に示すように右方向に移動させ、前記ミラー１２及び観察系６の対物レンズを被検眼ＥL （左眼）に対峙させると、前記移動架台４は一対のセンサ２１ａ、２１ｂのうちの右側のセンサ２１ｂの上方を遮蔽する。
【００３８】
これにより、右側のセンサ２１ｂにより被検眼ＥL を観察していることを示す左眼情報が出力され、前記接続線２６を経て第１の光学台出力端子２８に伝送される。
【００３９】
また、撮像カメラ１３により撮像する被検眼像は、オス型コネクタ３２、メス型コネクタ３１、接続線３４を経て、支柱１８の壁面に設けた第２の光学台出力端子３５に伝送される。
【００４０】
このようにして、光学台２上にスリットランプ１を搭載した場合に、被検眼ＥR 、ＥL の左右眼情報及び被検眼像等の眼科情報を速やかに検出、取得して出力でき、これらの眼科情報に関するネットワークシステムの構築に対する対策も万全とすることができる。
【００４１】
また、左右検出センサ２０の一対のセンサ２１ａ、２１ｂの位置が、スリットランプ１の移動架台４の寸法に応じて変更可能であるため、汎用性を高めることができる。
【００４２】
（実施の形態２）
次に、図８乃至図１１を参照して本発明の実施の形態２について説明する。
【００４３】
図８は、本実施の形態２の光学台５０を示すものであり、この光学台５０は実施の形態１の光学台２と同様な構成であるが、光学台本体２Ａの上面に、前記左右検出センサ２０の場合と同様、眼科装置の一種であるレフラクトメータ１００の基台１０１の両側を占める配置で、発光素子、受光素子を組み込んだ光反射型のセンサ６１ａ、６１ｂを使用した左右検出センサ６０を組み込んでいる。
【００４４】
また、この左右検出センサ６０の間の位置で、かつ、レフラクトメータ１００の基台１０１の直下の位置となるように眼科情報取り込み端子（ＲＳ２３２Ｃ型）であるメス型コネクタ３１を設けている。
【００４５】
前記レフラクトメータ１００の基台１０１上には、被検眼ＥL 、ＥR の眼屈折力等を測定する眼科装置本体としての移動架台１０２を搭載し、操作ノブ１０３の操作に基づき移動架台１０２を図１０に示すＸ方向及びＹ方向（紙面と垂直な方向）に移動可能としている。
【００４６】
そして、光学台５０の光学台本体２Ａの上面に搭載されるレフラクトメータ１００の基台１０１に設けた眼科情報出力端子（ＲＳ２３２Ｃ型）であるオス型コネクタ３２を、前記メス型コネクタ３１に接続するようになっている。
【００４７】
左右検出センサ６０は、前記一対のセンサ２１ａ、２１ｂと同様な構造の一対の光反射型のセンサ６１ａ、６１ｂを具備している。穴部２２ａ、２３ａ、２４ａ、穴部２２ｂ、２３ｂ、２４ｂの構成は実施の形態１の場合と同様である。
【００４８】
また、光学台５０に実施の形態１の場合と同様な第１の光学台出力端子２８、第２の光学台出力端子３５を備えている。
【００４９】
次に、前記光学台５０の作用を図１０、図１１を参照して説明する。
【００５０】
操作ノブ１０３の操作に基づき移動架台１０２を図１０に示す左側に移動し、移動架台１０２に設けている図示しない対物レンズを被検眼ＥR （右眼）に対峙させると、前記移動架台４は一対のセンサ６１ａ、６１ｂのうちの左側のセンサ６１ａの上方を遮蔽する。
【００５１】
これにより、左側のセンサ６１ａがオンし、被検眼ＥR を観察していることを示す右眼情報が出力され、前記接続線２６を経て第１の光学台出力端子２８に伝送される。
【００５２】
一方、前記移動架台１０２を、図１１に示すように右方向に移動させ、移動架台１０２に設けている図示しない対物レンズを被検眼ＥL （左眼）に対峙させると、前記移動架台１０２の下面は一対のセンサ６１ａ、６１ｂのうちの右側のセンサ６１ｂの上方を遮蔽する。
【００５３】
これにより、右側のセンサ６１ａがオンし、被検眼ＥR を観察していることを示す右眼情報が出力され、前記接続線２６を経て第１の光学台出力端子２８に伝送される。
【００５４】
また、レフラクトメータ１００により測定される被検眼ＥL 又は被検眼ＥR の眼屈折力等の測定データは、前記オス型コネクタ３２、メス型コネクタ３１、接続線３４を経て、支柱１８の壁面に設けた第２の光学台出力端子３５に伝送される。
【００５５】
このようにして、光学台５０上にレフラクトメータ１００を搭載した場合に、被検眼ＥR 、ＥL の左右眼情報及び眼屈折力等の測定データを速やかに検出、取得して出力でき、これらの眼科情報に関するネットワークシステムの構築に対する対策も万全とすることができる。
【００５６】
また、メス型コネクタ３１をレフラクトメータ１００の基台１０１の直下の位置に配置しているので、メス型コネクタ３１が基台１０１に隠され、これにより、光学台５０上にレフラクトメータ１００を搭載した場合の外観体裁を良好とし、かつ、レフラクトメータ１００や眼底カメラ等のように実施の形態１の場合とは異なる機種に幅広く対応できる。
【００５７】
（実施の形態３）
次に、図１２を参照して本発明の実施の形態３の光学台１５０について説明する。
【００５８】
本実施の形態３の光学台１５０は、図３に示す実施の形態１と略同様な構成であるが、中空の支柱１８の内部に、左右検出センサの検出信号及び前記スリットランプ１からの被検眼像を取り込んで処理し、ネットワーク情報として出力する信号処理手段１５１を設け、支柱１８の壁面に信号処理手段１５１からのネットワーク情報を外部に導出するための光学台出力端子であるネットワーク端子１５２を設けたことが特徴である。
【００５９】
この光学台１５０によれば、被検眼ＥR 、ＥL の左右眼情報及び被検眼データ等の眼科情報を速やかに検出、取得してネットワーク情報に変換してネットワーク端子１５２から出力でき、この光学台１５０を大型の眼鏡店等において被検眼ＥR 、ＥL の左右眼情報、被検眼データ等の眼科情報に関するネットワークシステムの端末機器として機能させることができる。
【００６０】
（実施の形態４）
次に、図１３を参照して本発明の実施の形態４の光学台２００について説明する。
【００６１】
本実施の形態４の光学台２００は、円筒支柱部２０１により支持され、図１３に示す矢印α方向に回転可能な大きなターンテーブル２１０に、このターンテーブル２１０の径方向に沿って各々出没（スライド）可能な例えば３個のスライドテーブル２１１、２１２、２１３を備え、例えばスライドテーブル２１１上にはスリットランプ１を搭載し、スライドテーブル２１２にはレフラクトメータ１００を搭載する構成としている。
【００６２】
そして、スライドテーブル２１１には、実施の形態１の場合のスリットランプ１用として左右検出センサ２０と、メス型コネクタ３１を配置している。また、スライドテーブル２１２には、実施の形態２の場合の左右検出センサ６０と、メス型コネクタ３１を配置している。
【００６３】
さらに、円筒支柱部２０１の壁面に光学台出力端子２０３を設けている。
【００６４】
この実施の形態４の光学台２００によれば、大きなターンテーブル２１０上にスリットランプ１やレフラクトメータ１００を配置する複合眼科システムにおいて、被検眼ＥR 、ＥL の左右眼情報、被検眼データ等の眼科情報に関するネットワークシステムを構築する場合に好適となる。
【００６５】
尚、前記左右検出センサ２０、６０としては、赤外線センサ、光反射型センサの他に左右対象配置のラインセンサを使用することもできる。
【００６６】
（実施の形態５）
次に、図１４を参照して本発明の実施の形態５の光学台について説明する。
【００６７】
本実施の形態５の光学台は、実施の形態１の場合と同様なスリットランプ１を搭載した光学台２上に、前記スリットランプ１の一方の一個の赤外線センサ１７０及び出力端子１７１を組み込み、この赤外線センサ１７０により移動架台４の位置を検出するようにしたものである。この場合、赤外線センサ１７０の配置位置は、移動架台４の前記左右の被検眼方向への移動を検出するために一個でよく、赤外線センサ１７０がオン状態（移動架台４がで図１４に示す点線位置）で、被検眼ＥR を観察していることを示す右眼情報を取り出すことができ、赤外線センサ１７０がオフ状態（移動架台４がで図１４に示す実線位置）で、被検眼ＥL を観察していることを示す左眼情報を取り出すことができる。
【００６８】
また、赤外線センサ１７０のオン、オフ状態を利用して、前回の使用終了後における位置が不定の移動架台４の初期位置設定を行うことができる。
【００６９】
（実施の形態６）
次に、図１５を参照して本発明の実施の形態６の光学台について説明する。
【００７０】
本実施の形態６の光学台は、実施の形態１の場合と同様なスリットランプ１を搭載した光学台２上に、前記移動架台４のＹ方向に沿う両側位置に一対のリニアセンサ１８０、１８０を配置したものである。
【００７１】
このような構成の光学台によっても、実施の形態１の場合と同様、被検眼の左眼情報、右眼情報を速やかに検出して出力することができる。
【００７２】
尚、実施の形態５、６の構成は、スリットランプ１のみならず、レフラクトメータ等の他の眼科装置にも適用し得ることはもちろんである。
【００７３】
【発明の効果】
請求項１記載の発明よれば、スリットランプやレフラクトメータ等の眼科装置を搭載した場合に、被検眼の左右眼情報を速やかに検出して出力でき、被検眼の左右眼情報に関するネットワークシステムの構築に対する対策も万全な眼科装置用光学台を提供できる。
【００７４】
請求項２記載の発明よれば、スリットランプやレフラクトメータ等の眼科装置を搭載した場合に、被検眼の左右眼情報及び眼科情報を速やかに検出して出力でき、被検眼の左右眼情報及び眼科情報に関するネットワークシステムの構築に対する対策も万全な眼科装置用光学台を提供できる。
【００７５】
請求項３記載の発明よれば、被検眼の左右眼情報、被検眼データ等の眼科情報に関するネットワークシステムの端末機器として機能させることができる眼科装置用光学台を提供できる。
【００７６】
請求項４記載の発明よれば、前記左右検出センサを、赤外線センサ、光反射型センサ、ラインセンサのいずれかにより構成して請求項１乃至３記載のいずれかの発明の効果を奏する眼科装置用光学台を提供できる。
【００７７】
請求項５記載の発明よれば、眼科装置本体の寸法の大小に応じて左右検出センサの位置を適宜調整でき、汎用性を高めることができる眼科装置用光学台を提供できる。
【００７８】
請求項６記載の発明よれば、スリットランプ、レフラクトメータ等というような機種の相違に幅広く対応できる眼科装置用光学台を提供できる。
【図面の簡単な説明】
【図１】本発明の実施の形態１のスリットランプの外観を示す側面図である。
【図２】本実施の形態１の光学台を示す平面図である。
【図３】本実施の形態１の光学台の概略断面図である。
【図４】本実施の形態１の光学台における左右検出センサ及び穴部を示す概略斜視図である。
【図５】本実施の形態１の接続端子構造を示す概略斜視図である。
【図６】本実施の形態１の光学台上の移動架台の左側への移動と左右検出センサとの配置を示す説明図である。
【図７】本実施の形態１の光学台上の移動架台の右側への移動と左右検出センサとの配置を示す説明図である。
【図８】本発明の実施の形態２の光学台の平面図である。
【図９】本実施の形態２の光学台を示す概略断面図である。
【図１０】本実施の形態２の光学台上のレフラクトメータの移動架台の左側への移動を示す説明図である。
【図１１】本実施の形態２の光学台上のレフラクトメータの移動架台の左側への移動を示す説明図である。
【図１２】本発明の実施の形態３の光学台の概略断面図である。
【図１３】本発明の実施の形態４の光学台の概略断面図である。
【図１４】本発明の実施の形態５のスリットランプを搭載した光学台の概略平面図である。
【図１５】本発明の実施の形態６のスリットランプを搭載した光学台の概略平面図である。
【符号の説明】
１    スリットランプ
２    光学台
２Ａ    光学台本体
４    移動架台
５    操作ハンドル
６    観察系
８    照明系
９    鏡筒本体
１０    顎受け台
１１    操作ノブ
１２    ミラー
１３    撮像カメラ
１５    キャスタ
１６    下台
１７    スライド用シャフト
１８    支柱
２０    左右検出センサ
２１ａ    センサ
２１ｂ    センサ
２２ａ    穴部
２３ａ    穴部
２５    抜溝
２６    接続線
２８    光学台出力端子
３１    メス型コネクタ
３２    オス型コネクタ
３４    接続線
３５    光学台出力端子
５０    光学台
６０    左右検出センサ
６１ａ    センサ
６１ｂ    センサ
１００    レフラクトメータ
１０１    基台
１０２    移動架台
１０３    操作ノブ
【図１】
0004437581.tif 000002
【図２】
0004437581.tif 000003
【図３】
0004437581.tif 000004
【図４】
0004437581.tif 000005
【図５】
0004437581.tif 000006
【図６】
0004437581.tif 000007
【図７】
0004437581.tif 000008
【図８】
0004437581.tif 000009
【図９】
0004437581.tif 000010
【図１０】
0004437581.tif 000011
【図１１】
0004437581.tif 000012
【図１２】
0004437581.tif 000013
【図１３】
0004437581.tif 000014
【図１４】
0004437581.tif 000015
【図１５】
0004437581.tif 000016